(57)【特許請求の範囲】
【請求項１】
一方の躯体と他方の躯体との間の隙間部を覆うエキスパンションジョイント装置であって、
前記一方の躯体に固定される第１フレーム材と、
前記第１フレーム材に対向して固定される第１カバー材と、
前記他方の躯体に固定される第２フレーム材と、
前記第２フレーム材に対向して固定される第２カバー材と、
一方の端部を前記第１フレーム材と前記第１カバー材とによって移動可能に保持され、他方の端部を前記第２フレーム材と前記第２カバー材とによって移動可能に保持されて、前記隙間部を覆うように配置されるセンタープレート材と、
前記センタープレート材に係合可能なストッパ片と、
を備え、
前記ストッパ片は、前記第１フレーム材の両端部に配置される短尺の部材であり、前記第１フレーム材の上面に重ね合わされて、前記第１フレーム材を前記一方の躯体に固定するためのフレーム固定ネジによって前記第１フレーム材とともに前記一方の躯体に固定されており、
前記第１フレーム材の上面には、前記ストッパ片に係合させるための突部が形成されており、前記突部によって前記ストッパ片の位置決めと回転止めがされており、
前記ストッパ片は、前記第１フレーム材に対する前記センタープレート材の相対移動を規制するためのものであって、前記センタープレート材の前記他方の躯体から見て前記一方の躯体の方向への相対移動を規制するものであり、
前記ストッパ片は、前記第１フレーム材に接面して固定される固定部と、前記固定部から斜め上方に延出形成された突出脚部と、前記突出脚部の先端を屈折させた当接部と、を備え、
前記当接部は、前記センタープレート材の端部に形成された係止片に臨む略垂直な先端面を有していることを特徴とする、エキスパンションジョイント装置。
【請求項２】
前記第１フレーム材には、前記センタープレート材に係合可能な立上り片が設けられ、
前記立上り片は、前記第１フレーム材に対する前記センタープレート材の相対移動を規制するためのものであって、前記センタープレート材の前記一方の躯体から見て前記他方の躯体の方向への相対移動を規制することを特徴とする、請求項１記載のエキスパンションジョイント装置。
【請求項３】
前記センタープレート材の一方の端部は、前記第１フレーム材と前記第１カバー材とで形成される第１移動空間内で移動可能であり、
前記センタープレート材の他方の端部は、前記第２フレーム材と前記第２カバー材とで形成される第２移動空間内で移動可能であり、
前記第２移動空間の幅を前記第１移動空間の幅よりも大きく形成したことを特徴とする、請求項１又は２記載のエキスパンションジョイント装置。
【発明の詳細な説明】
【技術分野】
【０００１】
この発明は、躯体間の隙間部を覆うエキスパンションジョイント装置に関する。
【背景技術】
【０００２】
特許文献１には、床部と壁部とが連続する部分を有する躯体において、床部と壁部とを連続して覆うことができるエキスパンションジョイント装置が開示されている。
【０００３】
特許文献１において従来の技術として説明されている図６の技術は、床部と壁部とで別のカバー体が使用されているため、それぞれのカバー体がずれていることで各カバー体が不連続であることが強く認識され、美観が低下してしまうという問題があった。
【０００４】
特許文献１記載の技術はこの従来の技術の問題点を解決するものであって、床部と壁部とを同一のカバー体で覆うようにしている。このように床部と壁部とを同一のカバー体で覆うことで、床部と壁部との境目に間隙が生じることなく連続的に覆うことができる。この特許文献１記載の技術によれば、床部と壁部との境目においてカバー体がずれて美観が低下するという問題は発生しない。
【先行技術文献】
【特許文献】
【０００５】
【特許文献１】特許第４８２４９５７号公報
【発明の概要】
【発明が解決しようとする課題】
【０００６】
しかし、上記した特許文献１記載の技術では、カバー体が移動したときに破損が生じるおそれがあった。
【０００７】
具体的には、特許文献１記載の技術では、地震などによって躯体が移動することにより、カバー体が壁部に押し付けられるような負荷が発生すると、壁部において中空パッキンでカバー体を受け止めるようになっている。一方で床部においてはカバー体を受け止める構造が存在しない。このような構造では、カバー体の壁部に臨む部分を固定端、床部に臨む部分を自由端とする片持ち梁のような構造となるため、カバー体の壁部に臨む部分に大きな荷重が加わることになる。よって、例えば床部と壁部との境目付近などに荷重が集中して破損の原因となる可能性があった。
そこで、本発明は、床部と壁部とを連続的に覆うことができ、かつ、破損が生じにくいエキスパンションジョイント装置を提供することを課題とする。
【課題を解決するための手段】
【０００８】
本発明は、上記した課題を解決するためになされたものであり、以下を特徴とする。
【０００９】
請求項１記載の発明は、一方の躯体と他方の躯体との間の隙間部を覆うエキスパンションジョイント装置であって、前記一方の躯体に固定される第１フレーム材と、前記第１フレーム材に対向して固定される第１カバー材と、前記他方の躯体に固定される第２フレーム材と、前記第２フレーム材に対向して固定される第２カバー材と、一方の端部を前記第１フレーム材と前記第１カバー材とによって移動可能に保持され、他方の端部を前記第２フレーム材と前記第２カバー材とによって移動可能に保持されて、前記隙間部を覆うように配置されるセンタープレート材と、前記センタープレート材に係合可能なストッパ片と、を備え、前記ストッパ片は、前記第１フレーム材の両端部に配置される短尺の部材であり、前記第１フレーム材の上面に重ね合わされて、前記第１フレーム材を前記一方の躯体に固定するためのフレーム固定ネジによって前記第１フレーム材とともに前記一方の躯体に固定されており、前記第１フレーム材の上面には、前記ストッパ片に係合させるための突部が形成されており、前記突部によって前記ストッパ片の位置決めと回転止めがされており、前記ストッパ片は、前記第１フレーム材に対する前記センタープレート材の相対移動を規制するためのものであって、前記センタープレート材の前記他方の躯体から見て前記一方の躯体の方向への相対移動を規制するものであり、前記ストッパ片は、前記第１フレーム材に接面して固定される固定部と、前記固定部から斜め上方に延出形成された突出脚部と、前記突出脚部の先端を屈折させた当接部と、を備え、前記当接部は、前記センタープレート材の端部に形成された係止片に臨む略垂直な先端面を有していることを特徴とする。
【００１０】
請求項２に記載の発明は、上記した請求項１に記載の発明の特徴点に加え、前記第１フレーム材には、前記センタープレート材に係合可能な立上り片が設けられ、前記立上り片は、前記第１フレーム材に対する前記センタープレート材の相対移動を規制するためのものであって、前記センタープレート材の前記一方の躯体から見て前記他方の躯体の方向への相対移動を規制することを特徴とする。
【００１１】
請求項３に記載の発明は、上記した請求項１又は２に記載の発明の特徴点に加え、前記センタープレート材の一方の端部は、前記第１フレーム材と前記第１カバー材とで形成される第１移動空間内で移動可能であり、前記センタープレート材の他方の端部は、前記第２フレーム材と前記第２カバー材とで形成される第２移動空間内で移動可能であり、前記第２移動空間の幅を前記第１移動空間の幅よりも大きく形成したことを特徴とする。
【００１２】
【発明の効果】
【００１３】
請求項１に記載の発明は上記の通りであり、第１フレーム材には、センタープレート材に係合可能なストッパ片が設けられ、前記ストッパ片は、前記第１フレーム材に対する前記センタープレート材の相対移動を規制するためのものであって、前記センタープレート材の他方の躯体から見て一方の躯体の方向への相対移動を規制する。すなわち、ストッパ片によってセンタープレート材の一方の躯体に対する相対移動が規制されている。このような構成によれば、仮に一方の躯体が床部と壁部とを連続的に有するものであり、この床部と壁部とを連続的にセンタープレート材で覆うようにした場合でも、センタープレート材の端部を床部のストッパ片と壁部とで受け止めることができる。すなわち、ストッパ片を設けることでセンタープレート材を広い範囲で受け止めることができるので、センタープレート材の一部に荷重が集中せず、破損が生じにくい。
【００１４】
また、請求項２に記載の発明は上記の通りであり、前記第１フレーム材には、前記センタープレート材に係合可能な立上り片が設けられ、前記立上り片は、前記第１フレーム材に対する前記センタープレート材の相対移動を規制するためのものであって、前記センタープレート材の前記一方の躯体から見て前記他方の躯体の方向への相対移動を規制する。すなわち、立上り片によってセンタープレート材の一方の躯体に対する相対移動が規制されている。このような構成によれば、センタープレート材が第１フレーム材から外れてしまうことを防止できる。
【００１５】
また、請求項３に記載の発明は上記の通りであり、前記センタープレート材の一方の端部は、前記第１フレーム材と前記第１カバー材とで形成される第１移動空間内で移動可能であり、前記センタープレート材の他方の端部は、前記第２フレーム材と前記第２カバー材とで形成される第２移動空間内で移動可能であり、前記第２移動空間の幅を前記第１移動空間の幅よりも大きく形成した。このような構成によれば、センタープレート材の移動が規制される第１移動空間は極力小さくするとともに、第２移動空間を大きくすることでセンタープレート材の可動量を確保することができる。
【００１６】
【図面の簡単な説明】
【００１７】
【図１】エキスパンションジョイント装置の外観図である。
【図２】エキスパンションジョイント装置の（ａ）床部における断面図、（ｂ）壁部における断面図である。
【図３】隙間部を狭める方向に躯体が変動した場合の（ａ）床部における断面図、（ｂ）壁部における断面図である。
【図４】隙間部を広げる方向に躯体が変動した場合の（ａ）床部における断面図、（ｂ）壁部における断面図である。
【図５】エキスパンションジョイント装置の平面図であって、（ａ）揺れがない状態の図、（ｂ）躯体が所定のＹ方向に移動した図、（ｃ）躯体が反対のＹ方向に移動した図である。
【図６】エキスパンションジョイント装置の平面図であって、（ａ）躯体が所定のＸ方向に移動した図、（ｂ）躯体が反対のＸ方向に移動した図である。
【図７】第１フレーム材の一部拡大斜視図である。
【図８】変形例１に係るエキスパンションジョイント装置の断面図である。
【図９】変形例２に係るエキスパンションジョイント装置の断面図である。
【図１０】ストッパ片を使用しないエキスパンションジョイント装置の断面図である。
【発明を実施するための形態】
【００１８】
本発明の実施形態について、図を参照しながら説明する。
【００１９】
本実施形態に係るエキスパンションジョイント装置１０は、隙間部Ｇを設けて配置された２つの躯体（一方の躯体５５及び他方の躯体５６）間に設けられ、この互いに相対する一方の躯体５５と他方の躯体５６との間の隙間部Ｇを覆うために設けられる。
【００２０】
本実施形態においては、図１に示すように、一方の躯体５５は、水平方向に床部５５ａと壁部５５ｂとを連続して有しており、この床部５５ａと壁部５５ｂとが隙間部Ｇに臨んでいる。他方の躯体５６には、一方の躯体５５の床部５５ａ及び壁部５５ｂに対向する床部５６ａが形成され、この床部５６ａが隙間部Ｇに臨んでいる。
【００２１】
本実施形態に係るエキスパンションジョイント装置１０は、一方の躯体５５の床部５５ａに固定される第１フレーム材１１と、第１フレーム材１１に取り付けられるストッパ片１７と、第１フレーム材１１の上面に対向して固定される第１カバー材１８と、他方の躯体５６の床部５６ａに固定される第２フレーム材２０と、第２フレーム材２０の上面に対向して固定される第２カバー材２６と、一方の躯体５５の壁部５５ｂに固定される第３フレーム材３０と、第３フレーム材３０の前面に対向して固定される第３カバー材３６と、隙間部Ｇを覆うように配置されるセンタープレート材４０と、センタープレート材４０の下方に配置される止水シート４９と、を備える。
【００２２】
第１フレーム材１１は、図２（ａ）に示すように、一方の躯体５５の床部５５ａの上面に固定される断面略コ字形の長尺材である。本実施形態に係る第１フレーム材１１は、アルミ押出形材である。この第１フレーム材１１は、床部５５ａの上面に接触する取付部１２と、取付部１２の一方の端部に立設形成された前壁部１３と、取付部１２の他方の端部に立設形成された後壁部１４と、を備える。なお、取付部１２には、フレーム固定ネジ４３を貫通させるためのネジ孔が形成されており、このネジ孔を貫通させたフレーム固定ネジ４３を床部５５ａに打ち込むことで、第１フレーム材１１が床部５５ａに固定される。
【００２３】
この第１フレーム材１１の前壁部１３は、隙間部Ｇに臨むように立設されており、先端部にはクッション材１３ａが嵌合固定されている。クッション材１３ａは、例えば樹脂やゴムなどで形成されており、後述する第１カバー材１８と協働してセンタープレート材４０を移動可能に保持するものである。また、この前壁部１３は、センタープレート材４０に係合可能な立上り片としての機能も有している。すなわち、前壁部１３がセンタープレート材４０に係合することで、第１フレーム材１１に対するセンタープレート材４０の相対移動（一方の躯体５５から見て他方の躯体５６の方向（図１におけるＸ１方向）への相対移動）が規制されるようになっている。また、この前壁部１３の下部には、止水シート４９を保持するためのシート保持部１３ｂが設けられている。
【００２４】
また、第１フレーム材１１の後壁部１４は、上端付近に第１カバー材１８を取り付けるためのカバー係合部１４ａを備える。このカバー係合部１４ａに第１カバー材１８の後脚部１８ｂ（後述）を係合させ、カバー固定ネジ４６によって互いに螺着することで、第１フレーム材１１に第１カバー材１８を固定できるようになっている。
【００２５】
ストッパ片１７は、図２（ａ）に示すような屈折した板状部材である。このストッパ片１７は、センタープレート材４０に当接することで、第１フレーム材１１に対するセンタープレート材４０の相対移動（他方の躯体５６から見て一方の躯体５５の方向（図１におけるＸ２方向）への相対移動）を規制するためのものである。
【００２６】
このストッパ片１７は、第１フレーム材１１（床部５５ａの上面）に接面して固定される固定部１７ａと、固定部１７ａから斜め上方に延出形成された突出脚部１７ｂと、突出脚部１７ｂの先端を屈折させた当接部１７ｃと、を備える。当接部１７ｃは、センタープレート材４０の端部に形成された係止片４２に臨む略垂直な先端面を有している。この係止片４２の先端面は、一方の躯体５５の側面（すなわち壁部５５ｂの表面）と略面一に設定されている。厳密には、後述する第３フレーム材３０の取付部３１の内側面と略面一に設定されている。このため、センタープレート材４０が第１フレーム材１１に対して図１におけるＸ２方向へ相対移動しようとしたときに、当接部１７ｃの先端面と、第３フレーム材３０の取付部３１の内側面と、で形成される略同一平面でセンタープレート材４０を受け止めることができる。
【００２７】
本実施形態においては、複数の短尺のストッパ片１７を所定間隔で第１フレーム材１１（床部５５ａの上面）に固定している。具体的には、第１フレーム材１１の取付部１２の上面にストッパ片１７の固定部１７ａを重ね合わせ、取付部１２と固定部１７ａとを貫通させたフレーム固定ネジ４３を床部５５ａに螺着させることで、ストッパ片１７を床部５５ａの上面に固定している。取付部１２の上面にはストッパ片１７の固定部１７ａに係合させるための突部１２ａが形成されており、ストッパ片１７の位置決めと回転止めの役割を果たしている。なお、本実施形態においては短尺のストッパ片１７を使用したが、これに限らず、長尺のストッパ片１７を使用してもよい。
【００２８】
第１カバー材１８は、図２（ａ）に示すように、第１フレーム材１１の上面を覆うように取り付けられるＬ字形の長尺材である。本実施形態に係る第１カバー材１８は、アルミ押出形材である。この第１カバー材１８は、第１フレーム材１１の上面を覆うカバー部１８ａと、第１フレーム材１１のカバー係合部１４ａに係合する後脚部１８ｂと、を備えている。第１カバー材１８は、後脚部１８ｂ付近が第１フレーム材１１に固定されて片持ち梁状となっており、カバー部１８ａの自由端が第１フレーム材１１の前壁部１３の上方に位置するようになっている。このように第１カバー材１８のカバー部１８ａと第１フレーム材１１の前壁部１３とが互いに対向して配置されており、このカバー部１８ａと前壁部１３との間にセンタープレート材４０の一方の端部を差し込んで保持できるようになっている。センタープレート材４０は、前壁部１３に下方から支持されるとともに、第１カバー材１８のカバー部１８ａによって浮き上がりが防止されるようになっている。なお、センタープレート材４０は第１フレーム材１１に支持されているだけなので、自由に移動が可能である。
【００２９】
第２フレーム材２０は、図２（ａ）に示すように、他方の躯体５６の床部５６ａの上面に固定される断面略コ字形の長尺材である。本実施形態に係る第２フレーム材２０は、アルミ押出形材である。この第２フレーム材２０は、床部５６ａの上面に接触する取付部２１と、取付部２１の一方の端部に立設形成された前壁部２２と、取付部１２の他方の端部に立設形成された後壁部２３と、を備える。なお、取付部２１には、フレーム固定ネジ４４を貫通させるためのネジ孔が形成されており、このネジ孔を貫通させたフレーム固定ネジ４４を床部５６ａに打ち込むことで、第２フレーム材２０が床部５６ａに固定される。
【００３０】
この第２フレーム材２０の前壁部２２は、隙間部Ｇに臨むように立設されており、先端部にはクッション材２２ａが嵌合固定されている。クッション材２２ａは、例えば樹脂やゴムなどで形成されており、後述する第２カバー材２６と協働してセンタープレート材４０を移動可能に保持できるようになっている。また、この前壁部２２は、センタープレート材４０に係合可能な立上り片としての機能も有している。すなわち、前壁部２２がセンタープレート材４０に係合することで、第２フレーム材２０に対するセンタープレート材４０の相対移動（他方の躯体５６から見て一方の躯体５５の方向（図１におけるＸ２方向）への相対移動）が規制されるようになっている。また、この前壁部２２の下部には、止水シート４９を保持するためのシート保持部２２ｂが設けられている。
【００３１】
また、第２フレーム材２０の後壁部２３は、上端付近に第２カバー材２６を取り付けるためのカバー係合部２３ａを備える。このカバー係合部２３ａに第２カバー材２６の後脚部２６ｂ（後述）を係合させ、カバー固定ネジ４７によって互いに螺着することで、第２フレーム材２０に第２カバー材２６を固定できるようになっている。
【００３２】
第２カバー材２６は、図２（ａ）に示すように、第２フレーム材２０の上面を覆うように取り付けられるＬ字形の長尺材である。本実施形態に係る第２カバー材２６は、アルミ押出形材である。この第２カバー材２６は、第２フレーム材２０の上面を覆うカバー部２６ａと、第２フレーム材２０のカバー係合部２３ａに係合する後脚部２６ｂと、を備えている。第２カバー材２６は、後脚部２６ｂ付近が第２フレーム材２０に固定されて片持ち梁状となっており、カバー部２６ａの自由端が第２フレーム材２０の前壁部２２の上方に位置するようになっている。このように第２カバー材２６のカバー部２６ａと第２フレーム材２０の前壁部２２とが互いに対向して配置されており、このカバー部２６ａと前壁部２２との間にセンタープレート材４０の他方の端部を差し込んで保持できるようになっている。センタープレート材４０は、前壁部２２に下方から支持されるとともに、第２カバー材２６のカバー部２６ａによって浮き上がりが防止されるようになっている。なお、センタープレート材４０は第２フレーム材２０に支持されているだけなので、自由に移動が可能である。
【００３３】
第３フレーム材３０は、図２（ｂ）に示すように、一方の躯体５５の壁部５５ｂの側面に固定される長尺材である。本実施形態に係る第３フレーム材３０は、アルミ押出形材である。この第３フレーム材３０は、壁部５５ｂの側面に接触する取付部３１と、取付部３１の下端部に形成された下壁部３２と、取付部３１の上端部に形成された上壁部３３と、を備える。なお、取付部３１には、フレーム固定ネジ４５を貫通させるためのネジ孔が形成されており、このネジ孔を貫通させたフレーム固定ネジ４５を壁部５５ｂに打ち込むことで、第３フレーム材３０が壁部５５ｂに固定される。
【００３４】
この第３フレーム材３０の下壁部３２は、取付部３１の下端から他方の躯体５６の方向にＬ字形に突出して形成されており、垂直上方に立設した先端部にはクッション材３２ａが嵌合固定されている。クッション材３２ａは、例えば樹脂やゴムなどで形成されており、後述する第３カバー材３６と協働してセンタープレート材４０を移動可能に保持できるようになっている。また、この下壁部３２は、センタープレート材４０に係合可能な立上り片としての機能も有している。すなわち、下壁部３２がセンタープレート材４０に係合することで、第３フレーム材３０に対するセンタープレート材４０の相対移動（一方の躯体５５から見て他方の躯体５６の方向（図１におけるＸ１方向）への相対移動）が規制されるようになっている。また、この下壁部３２の下部には、止水シート４９を保持するためのシート保持部３２ｂが設けられている。
【００３５】
また、第３フレーム材３０の上壁部３３は、第３カバー材３６を係合可能となっており、この上壁部３３に第３カバー材３６の上部３６ｂなどを係合させ、カバー固定ネジ４８によって互いに螺着することで、第３フレーム材３０に第３カバー材３６を固定できるようになっている。
【００３６】
第３カバー材３６は、図２（ｂ）に示すように、第３フレーム材３０の表面（他方の躯体５６に臨む面）を覆うように取り付けられる長尺材である。本実施形態に係る第３カバー材３６は、アルミ押出形材である。この第３カバー材３６は、壁部５５ｂに臨む垂直な後部３６ａと、後部３６ａの上端から連続する水平な上部３６ｂと、上部３６ｂの前端から連続する垂直な前部３６ｃと、前部３６ｃの下端から連続する水平な下部３６ｄと、を有する。後部３６ａには壁部５５ｂとの隙間を埋めるためのシール部材などを取り付けてもよい。この第３カバー材３６は、上部３６ｂ付近が第３フレーム材３０に固定されており、自由な下部３６ｄが第３フレーム材３０の下壁部３２よりもやや高く位置するようになっている。この第３カバー材３６の下部３６ｄと下壁部３２との間にセンタープレート材４０の一方の端部を差し込んで保持できるようになっている。センタープレート材４０は、下壁部３２によって下方から支持されるとともに、第３カバー材３６の下部３６ｄによって浮き上がりが防止されるようになっている。なお、センタープレート材４０は第３フレーム材３０に支持されているだけなので、自由に移動が可能である。
【００３７】
センタープレート材４０は、隙間部Ｇを覆うように配置される板状部材であり、図２等に示すように、Ｘ方向に緩やかなアーチ状の断面を有するように形成されている。本実施形態においては、図１に示すように、一枚のセンタープレート材４０で床部５５ａと壁部５５ｂとを連続的に覆うようになっており、床部５５ａにおけるセンタープレート材４０の断面形状と壁部５５ｂにおけるセンタープレート材４０の断面形状との間に差異がないものとなっている。このセンタープレート材４０は、隙間部Ｇを覆う被覆部４１と、被覆部４１の両端部にやや下方に突出して形成された係止片４２と、を備える。係止片４２は、第１フレーム材１１の前壁部１３、第２フレーム材２０の前壁部２２、第３フレーム材３０の下壁部３２に係合可能となっており、これらと係合することでそれぞれのフレーム材から外れないようになっている。また、この係止片４２は、ストッパ片１７の当接部１７ｃや第３フレーム材３０の取付部３１にも係合し、相対移動を規制される。
【００３８】
止水シート４９は、隙間部Ｇ内に雨水などが入り込まないようにするためのものである。この止水シート４９は必須の構成ではなく、止水性を確保する必要がない場合には省略してもよい。
【００３９】
なお、本実施形態においては、図７に示すように、第１フレーム材１１の前壁部１３の側部に水抜き孔１３ｃを形成しているため、第１フレーム材１１の内部に浸入した水を水抜き孔１３ｃより止水シート４９上へ落とすことができるようになっている。このような構成とすれば、第１フレーム材１１に樋の機能を果たさせることができる。なお、特に説明しないが、第２フレーム材２０や第３フレーム材３０に同様の水抜き孔１３ｃを形成してもよい。
【００４０】
次に、上記したエキスパンションジョイント装置１０の動作について説明する。
一方の躯体５５と他方の躯体５６とがＸ方向（隙間部Ｇを狭める方向または広げる方向）に相対的に変位した場合、図３、図４、図６に示すように、センタープレート材４０が移動することでその変動を吸収する。具体的には、センタープレート材４０の一方の躯体５５側の端部は、第１フレーム材１１と第１カバー材１８とで形成される第１移動空間Ａ内で移動し、センタープレート材４０の他方の躯体５６側の端部は、第２フレーム材２０と第２カバー材２６とで形成される第２移動空間Ｂ内で移動する。このようにセンタープレート材４０が移動することで、エキスパンションジョイント装置１０が躯体の変動に追従して変動を吸収できるようになっている。
【００４１】
なお、本実施形態においては、センタープレート材４０は第１移動空間Ａをすべて使用できるわけではなく、ストッパ片１７によって移動が規制されるようになっている。すなわち、センタープレート材４０の第１フレーム材１１に対する相対移動は、Ｘ２方向においては係止片４２がストッパ片１７に当接するまで、Ｘ１方向においては係止片４２が前壁部１３に当接するまで、となっている。係止片４２がストッパ片１７に当接したときには、図４（ｂ）に示すように、壁部５５ｂにおいては係止片４２が壁部５５ｂ（第３フレーム材３０）にほぼ当接するため、センタープレート材４０を長手方向全域にわたって受け止めることができるようになっており、センタープレート材４０の一部に荷重が集中することがない。なお、図４に示すように、第３フレーム材３０の取付部３１の内側面よりもストッパ片１７をやや突出させるようにすれば、ストッパ片１７によって弾性的にセンタープレート材４０を受け止めた後に、ストッパ片１７と壁部５５ｂ（第３フレーム材３０）とでセンタープレート材４０の移動を確実に規制することができる。
【００４２】
なお、センタープレート材４０の第２フレーム材２０に対する相対移動は、Ｘ１方向においては係止片４２が後壁部２３に当接するまで、Ｘ２方向においては係止片４２が前壁部２２に当接するまで、である。
【００４３】
上記で説明したように、ストッパ片１７によってセンタープレート材４０の移動が規制されるため、第１移動空間Ａは広さが不要である。一方、躯体の変動を吸収するためには、第２移動空間Ｂを広くしてセンタープレート材４０の移動幅を確保する必要がある。本実施形態においては、第２フレーム材２０は第１フレーム材１１よりもＸ方向に幅広に形成されており、これにより、第２移動空間Ｂの幅を第１移動空間Ａの幅よりも大きく形成している。
【００４４】
また、一方の躯体５５と他方の躯体５６とがＹ方向（躯体壁面に平行な方向）に相対的に変位した場合、図５に示すように、センタープレート材４０がスライドすることでその変動を吸収する。
【００４５】
以上説明したように、第１フレーム材１１には、センタープレート材４０に係合可能なストッパ片１７が設けられ、前記ストッパ片１７は、前記第１フレーム材１１に対する前記センタープレート材４０の相対移動を規制するためのものであって、前記センタープレート材４０の他方の躯体５６から見て一方の躯体５５の方向への相対移動を規制する。すなわち、ストッパ片１７によってセンタープレート材４０の一方の躯体５５に対する相対移動が規制されている。このような構成によれば、一方の躯体５５が床部５５ａと壁部５５ｂとを連続的に有するものであり、この床部５５ａと壁部５５ｂとを連続的にセンタープレート材４０で覆った場合でも、センタープレート材４０の端部を床部５５ａのストッパ片１７と壁部５５ｂとで受け止めることができる。すなわち、ストッパ片１７を設けることでセンタープレート材４０を広い範囲で受け止めることができるので、センタープレート材４０の一部に荷重が集中せず、破損が生じにくい。
【００４６】
また、前記第１フレーム材１１には、前記センタープレート材４０に係合可能な立上り片１３が設けられ、前記立上り片１３は、前記第１フレーム材１１に対する前記センタープレート材４０の相対移動を規制するためのものであって、前記センタープレート材４０の前記一方の躯体５５から見て前記他方の躯体５６の方向への相対移動を規制する。すなわち、立上り片１３によってセンタープレート材４０の一方の躯体５５に対する相対移動が規制されている。このような構成によれば、センタープレート材４０が第１フレーム材１１から外れてしまうことを防止できる。
【００４７】
また、前記センタープレート材４０の一方の端部は、前記第１フレーム材１１と前記第１カバー材１８とで形成される第１移動空間Ａ内で移動可能であり、前記センタープレート材４０の他方の端部は、前記第２フレーム材２０と前記第２カバー材２６とで形成される第２移動空間Ｂ内で移動可能であり、前記第２移動空間Ｂの幅を前記第１移動空間Ａの幅よりも大きく形成した。このような構成によれば、センタープレート材４０の移動が規制される第１移動空間Ａは極力小さくするとともに、第２移動空間Ｂを大きくすることでセンタープレート材４０の可動量を確保することができる。
【００４８】
また、前記ストッパ片１７は、前記第１フレーム材１１とは別体で形成されている。このようにストッパ片１７を第１フレーム材１１とは別体とすれば、ストッパ片１７が必要ない場合には第１フレーム材１１のみを使用することができる。例えば、一方の躯体５５が床部５５ａのみで壁部５５ｂを持たない場合には、図１０に示すように、ストッパ片１７を取り付けずに第１フレーム材１１のみを使用してエキスパンションジョイント装置１０を設置することができる。このように、同一の第１フレーム材１１を異なる施工条件に対応させることができるので、部品を共有化してコストを低減させることができる。
【００４９】
なお、上記した実施形態においては、第１カバー材１８、第２カバー材２６、センタープレート材４０の上面に凹凸の滑り止め処理を施したものを使用している。しかしながら、これに限らず、例えば図８に示すように、第１カバー材１８や第２カバー材２６の表面に仕上げシート５０を貼るようにしてもよい。
また、図９に示すように、センタープレート材４０の上面に仕上げシート５１を貼るようにしてもよい。
【００５０】
なお、センタープレート材４０の上面に仕上げシート５１を貼った場合、センタープレート材４０の厚みが増すため、上記した実施形態のままでは第３カバー材３６の下部３６ｄがセンタープレート材４０の上面に干渉し、納まらなくなる場合がある。このため、図９（ｂ）に示すように、第３フレーム材３０の上壁部３３の上部に突出片３４を突出させるとともに、この突出片３４の表面（第３カバー材３６に臨む面）にビス受け用の凹部３４ａを設け、この凹部３４ａを利用してカバー固定ネジ４８を螺着できるようにしている。第３カバー材３６は、カバー固定ネジ４８を挿通するための皿穴がプレスによって形成されているため、この皿穴の周縁部が裏側にやや突出するようになっている。この裏側に突出した皿穴の周縁部を逃すために、前記した凹部３４ａが設けられている。そして、この凹部３４ａの上下幅は皿穴の幅よりも大きく設定されており、皿穴の位置を凹部３４ａに対してずらして取り付けることが可能となっている。このように、第３カバー材３６及びカバー固定ネジ４８を上方にずらして取り付けることができるので、第３カバー材３６の下部３６ｄがセンタープレート材４０の上面に干渉しない位置まで第３カバー材３６の取り付け位置を高くすることができる。
【００５１】
同様に、センタープレート材４０の上面に仕上げシート５１を貼った場合、センタープレート材４０の厚みが増すため、上記した実施形態のままでは第２カバー材２６の下面がセンタープレート材４０の上面に干渉し、納まらなくなる場合がある。このため、図９（ｃ）に示すように、第２フレーム材２０の後壁部２３の内側に受片２３ｂを略水平に突出させるとともに、この受片２３ｂを利用してカバー固定ネジ４７を螺着できるようにしている。そして、この受片２３ｂと第２カバー材２６のカバー部２６ａとの間にスペーサ材５２を配置可能となっている。このスペーサ材５２を配置することで、第２カバー材２６の高さを嵩上げできるので、第２カバー材２６がセンタープレート材４０の上面に干渉しない位置まで第２カバー材２６の取り付け位置を高くすることができる。
【符号の説明】
【００５２】
１０  エキスパンションジョイント装置
１１  第１フレーム材
１２  取付部
１２ａ  突部
１３  前壁部（立上り片）
１３ａ  クッション材
１３ｂ  シート保持部
１３ｃ  水抜き孔
１４  後壁部
１４ａ  カバー係合部
１７  ストッパ片
１７ａ  固定部
１７ｂ  突出脚部
１７ｃ  当接部
１８  第１カバー材
１８ａ  カバー部
１８ｂ  後脚部
２０  第２フレーム材
２１  取付部
２２  前壁部（立上り片）
２２ａ  クッション材
２２ｂ  シート保持部
２３  後壁部
２３ａ  カバー係合部
２３ｂ  受片
２６  第２カバー材
２６ａ  カバー部
２６ｂ  後脚部
３０  第３フレーム材
３１  取付部
３２  下壁部（立上り片）
３２ａ  クッション材
３２ｂ  シート保持部
３３  上壁部
３４  突出片
３４ａ  凹部
３６  第３カバー材
３６ａ  後部
３６ｂ  上部
３６ｃ  前部
３６ｄ  下部
４０  センタープレート材
４１  被覆部
４２  係止片
４３，４４，４５  フレーム固定ネジ
４６，４７，４８  カバー固定ネジ
４９  止水シート
５０，５１  仕上げシート
５２  スペーサ材
５５  一方の躯体
５５ａ  床部
５５ｂ  壁部
５６  他方の躯体
５６ａ  床部
Ｇ  隙間部
Ａ  第１移動空間
Ｂ  第２移動空間
【図１】
0006537284.tif 000002
【図２】
0006537284.tif 000003
【図３】
0006537284.tif 000004
【図４】
0006537284.tif 000005
【図５】
0006537284.tif 000006
【図６】
0006537284.tif 000007
【図７】
0006537284.tif 000008
【図８】
0006537284.tif 000009
【図９】
0006537284.tif 000010
【図１０】
0006537284.tif 000011